(57)【要約】      （修正有）【課題】スポイドを用いることなく、検査を簡単且つ衛生的に行うことができるようにした臨床検査用検体沈渣容器を提供する。【解決手段】臨床検査用検体沈渣容器Ｓは、検体Ｋを収容する容器本体１の一端部に設けた筒状口部１ａに着脱可能に装着される検体沈渣塗抹用蓋体２を装着し、蓋体２には、筒状口部１ａに圧嵌される栓体部２ａと栓体部２ａの一端部に一体形成され容器本体１内の検体沈渣Ｋａを堆積させる沈渣堆積皿部２ｂと栓体部２ａの他端部に一体形成され筒状口部１ａの外周面側に折り返して外周面に密着可能な液密筒部２ｃと、からなる。【選択図】図６
2014098588.tif 000002
【特許請求の範囲】
【請求項１】
検体を収容する容器本体と、容器本体の一端部に設けた筒状口部に着脱可能に装着される検体沈渣塗抹用蓋体と、容器本体の他端部に設けた開口部に着脱可能に装着されるキャップとよりなり、前記検体沈渣塗抹用蓋体は、容器本体の前記筒状口部に圧嵌される栓体部と該栓体部の一端部に一体形成され容器本体内の検体沈渣を堆積させる沈渣堆積皿部と栓体部の他端部に一体形成され容器本体の前記筒状口部より突出して該筒状口部の外周面側に折り返して該外周面に密着可能な液密筒部とからなることを特徴とする臨床検査用検体沈渣容器。
【請求項２】
前記液密筒部の先端部に係合鍔部が形成され、該液密筒部を前記筒状口部の外周面側に折り返して該外周面に密着させたときに前記係合鍔部が係合する被係合突起が前記筒状口部の外周面に形成されてなる請求項１に記載の臨床検査用検体沈渣容器。
【請求項３】
前記検体は採取尿であって、尿細胞診用保存液に混合して容器本体に収容されてなる請求項１又は２に記載の臨床検査用検体沈渣容器。
【請求項４】
前記尿細胞診用保存液は、ブタンジオール、ポリエチレングリコール＃１５４０、ホルマリン、ポリビニールピドリドンＫ−３０及び酢酸を夫々重量比で０．５〜１０％含み、その他９５％エタノール及び蒸留水を重量比で合計７０％以上とする請求項３に記載の臨床検査用検体沈渣容器。
【請求項５】
前記検体は、婦人科用剥離子によって子宮頸部を擦過することによって該婦人科用剥離子に付着した子宮頸部擦過細胞からなる請求項１又は２に記載の臨床検査用検体沈渣容器。
【請求項６】
前記婦人科用剥離子は、子宮頸部擦過用刷毛であって、合成樹脂製基板と該基板に一体突設され前記子宮頸部を擦過する軟質刷毛と該基板に着脱可能に取り付けられる操作棒とからなる請求項５に記載の臨床検査用検体沈渣容器。
【請求項７】
前記婦人科用剥離子は、前記子宮頸部を擦過する子宮頸部擦過用綿棒である請求項５に記載の臨床検査用検体沈渣容器。
【請求項８】
前記婦人科用剥離子は、前記検体の付着した状態で、前記容器本体に充填される婦人科検体用保存液中に収容されてなる請求項５〜７の何れかに記載の臨床検査用検体沈渣容器。
【請求項９】
前記婦人科検体用保存液は、ホルマリン、ポリエチレングリコール＃１５４０、ジチオスレイトウル、ブチルヒドロキシトルエン及びポリビニルピドリドンＫ−９０を夫々重量比で０．５〜２０％含み、その他９５％エタノール及び蒸留水を重量比で合計６０％以上とする請求項８に記載の臨床検査用検体沈渣容器。
【請求項１０】
前記容器本体に収容された婦人科用剥離子が、該容器本体に装着された前記検体沈渣塗抹用蓋体に衝接するのを阻止するための網状受皿が前記容器本体内に係合されてなる請求項５〜８の何れかに記載の臨床検査用検体沈渣容器。
【請求項１１】
前記網状受皿は、ボリエチレン等の合成樹脂によって一体形成され、上下に貫通する多数の網孔を有する網状部材と該網状部材の周囲を覆って前記容器本体の内壁に係合される円筒状部材からなる請求項１０に記載の臨床検査用検体沈渣容器。
【発明の詳細な説明】
【技術分野】
【０００１】
本発明は、臨床検査に用いる検体沈渣容器にする。
【背景技術】
【０００２】
従来、細胞診検査あるいは細菌検査等の臨床検査を行うために、検体の沈渣をスライドガラスに塗抹して標本を作成する場合、特許文献１に記載のような臨床検査用遠沈管が用いられていた。
【０００３】
この遠沈管を用いて検体から沈渣を塗抹用のスライドガラスに塗抹するには、先ず遠沈管に検体を採取して遠心分離を行った後、分離された検体を容器本体の口部からスポイドで沈渣を採取して、スライドガラス上に滴下し、もう一枚のスライドガラス等で沈渣を薄く拡げるようにしていた。
【先行技術文献】
【特許文献】
【０００４】
【特許文献１】特開２００４−２７１３０９号公報
【発明の概要】
【発明が解決しようとする課題】
【０００５】
上述したように、この従来の遠沈管では、沈渣をスライドガラス等に塗抹するには、先ず分離された検体の上澄みを何らかの方法で取り除き、その後容器の口部からスポイド等で沈渣を採取し、スライドガラス上に滴下し、もう一枚のスライドガラス等を用いて沈渣を薄く拡げるという面倒で、手間のかかる作業をしなければならなかった。特に、沈渣の量が少ない場合には、スポイド等を用いて沈渣をスライドガラス等に塗抹するには多くの注意や時間を必要としていた。
【０００６】
さらに、この遠沈管は医療に用いられる場合が多く、この場合検体として分離される液体は、尿等の人体から排出されるものであって、これをスポイドのようなものによって吸引・排出する事は非常に不衛生であると共に、相互汚染が生じることのないように、各検体に使用するスポイドを毎回変えるか或いは毎回洗浄する必要があるという欠点があった。
【０００７】
また、スポイドで検体沈渣を採取してスライドガラスに塗抹させるのに手間がかかって面倒であると共に、不衛生になりやすい。
【０００８】
本発明は、何らスポイドを用いることなく、検査を簡単且つ衛生的に行うことができるようにした臨床検査用検体沈渣容器を提供することを目的としている。
【課題を解決するための手段】
【０００９】
上記目的を達成するため、実施形態に示される参照符号を各構成要素に付して示すと、請求項１に記載の発明は、検体Ｋを収容する容器本体１と、容器本体１の一端部に設けた筒状口部１ａに着脱可能に装着される検体沈渣塗抹用蓋体２と、容器本体１の他端部に設けた開口部１ｂに着脱可能に装着されるキャップ３とよりなり、前記検体沈渣塗抹用蓋体２は、容器本体１の前記筒状口部１ａに圧嵌される栓体部２ａと該栓体部２ａの一端部に一体形成され容器本体１内の検体沈渣Ｋａ（図６（ａ），（ｂ））を堆積させる沈渣堆積皿部２ｂと栓体部２ａの他端部に一体形成され容器本体１の前記筒状口部１ａより突出して該筒状口部１ａの外周面側に折り返して該外周面に密着可能な液密筒部２ｃと、からなることを特徴とする臨床検査用検体沈渣容器Ｓに係る。
【００１０】
請求項２に記載の発明は、前記液密筒部２ｃの先端部に係合鍔部２ｄが形成され、該液密筒部２ｃを前記筒状口部１ａの外周面側に折り返して該外周面に密着させたときに前記係合鍔部２ｄが係合する被係合突起１ｃが前記筒状口部１ａの外周面に形成されてなる請求項１に記載の臨床検査用検体沈渣容器Ｓに係る。
【００１１】
請求項３に記載の発明は、前記検体Ｋは採取尿Ｋ１であって、尿細胞診用保存液Ｈ１に混合して容器本体１に収容されてなる請求項１又は２に記載の臨床検査用検体沈渣容器Ｓに係る。
【００１２】
請求項４に記載の発明は、前記尿細胞診用保存液Ｈ１（図６（a），（ｂ））は、ブタンジオール、ポリエチレングリコール＃１５４０、ホルマリン、ポリビニールピドリドンＫ−３０及び酢酸を夫々重量比で０．５〜１０％含み、その他９５％エタノール及び蒸留水を重量比で合計７０％以上とする請求項３に記載の臨床検査用検体沈渣容器Ｓに係る。
【００１３】
請求項５に記載の発明は、前記検体Ｋは、婦人科用剥離子４に付着した子宮頸部擦過細胞Ｋ２（図６（ａ），（ｂ））からなる請求項１又は２に記載の臨床検査用検体沈渣容器Ｓに係る。
【００１４】
請求項６に記載の発明は、前記婦人科用剥離子４は、子宮頸部擦過用刷毛４Ａ（図６（ａ））であって、合成樹脂製基板４ａと該基板４ａに一体突設された軟質刷毛４ｂと該基板４ａに着脱可能に取り付けられる操作棒４ｃとからなる請求項５に記載の臨床検査用検体沈渣容器Ｓに係る。
【００１５】
請求項７に記載の発明は、前記婦人科用剥離子４は、子宮頸部擦過用胞綿棒４Ｂ（図６（ｂ））である請求項５に記載の臨床検査用検体沈渣容器Ｓに係る。
【００１６】
請求項８に記載の発明は、前記婦人科用剥離子４は、前記検体Ｋ（Ｋ２）の付着した状態で、前記容器本体１に充填される婦人科検体用保存液Ｈ２中に収容されてなる請求項５〜７の何れかに記載の臨床検査用検体沈渣容器Ｓに係る。
【００１７】
請求項９に記載の発明は、前記婦人科検体用保存液Ｈ２は、ホルマリン、ポリエチレングリコール＃１５４０、ジチオスレイトウル、ブチルヒドロキシトルエン及びポリビニルピドリドンＫ−９０を夫々重量比で０．５〜２０％含み、その他９５％エタノール及び蒸留水を重量比で合計６０％以上とする請求項８に記載の臨床検査用検体沈渣容器Ｓに係る。
【００１８】
請求項１０に記載の発明は、前記容器本体１に収容された婦人科用剥離子４が、該容器本体１に装着された前記検体沈渣塗抹用蓋体２に衝接するのを阻止するための網状受皿５（図６（ａ），（ｂ））が前記容器本体１内に係合載置されてなる請求項５〜８の何れかに記載の臨床検査用検体沈渣容器Ｓに係る。
【００１９】
請求項１１に記載の発明は、前記網状受皿５は、ボリエチレン等の合成樹脂によって一体形成され、上下に貫通する多数の網孔５ａを有する網状部材５ｂと該網状部材５ｂの周囲を覆って前記容器本体１の内壁に係合載置される円筒状部材５ｃからなる請求項１０に記載の臨床検査用検体沈渣容器Ｓに係る。
【発明の効果】
【００２０】
請求項１に記載の発明の臨床検査用検体沈渣容器Ｓによれば、容器本体１に検体Ｋ（Ｋ１，Ｋ２）が収容された状態で遠心分離機によって遠心分離することによって、検体沈渣Ｋａは検体沈渣塗抹用蓋体２の沈渣堆積皿部２ｂに堆積され、この状態で、図１０（ｃ），（ｄ）に示すように、検体沈渣塗抹用蓋体２を容器本体１から離脱させて、該蓋体２の沈渣堆積皿部２ｂをスライドガラス６上に所定の押圧力で押しつけることによって、スライドガラス６に検体沈渣Ｋａを塗抹させることができる。これがために、従来のように、検体沈渣Ｋａをスライドガラスに塗抹するにあたって、先ず検体沈渣Ｋａを容器本体の口部からスポイド等で採取し、これをスライドガラス上に滴下し、もう一枚のスライドガラス等を用いて沈渣を薄く拡げるという面倒で、手間のかかる作業が不要で、単に容器本体１から離脱させた検体沈渣塗抹用蓋体２を直接にスライドガラス６に押しつけることによって、該蓋体２の沈渣堆積皿部２ｂに付着している検体沈渣Ｋａをスライドガラス６上に塗抹させることができるから極めて能率的に塗抹作業を行うことができる。又、検体沈渣Ｋａの量が少なくても、少量の検体沈渣Ｋａが沈渣堆積皿部２ｂに堆積されてさえすればスライドガラス６に容易に塗抹することができるから、例え少量の検体沈渣Ｋａであっても迅速容易に処理することができる。更に、検体Ｋとして分離される液体は、尿等の人体から排出されるものであって、これをスポイドで吸引・排出する必要がないから衛生的であり、相互汚染が生じることのないように、各検体に使用するスポイドを毎回変えるか或いは毎回洗浄する必要がない。
【００２１】
また、検体沈渣塗抹用蓋体２は、その栓体部２ａが容器本体１の筒状口部１ａに圧嵌されて該筒状口部１ａの内周面に密着すると共に、該栓体部２ａの他端部に容器本体１の前記筒状口部１ａより突出して該筒状口部１ａの外周面側に折り返して該外周面に密着可能な液密筒部２ｃが一体形成されているため、検体沈渣塗抹用蓋体２は、その栓体部２ａと液密筒部２ｃとで容器本体１の筒状口部１ａを内外に二重に塞がれているので、容器本体１が遠心分離による過大な負荷がかかる時でも、筒状口部１ａから容器本体１内の保存液の液漏れが生じることがなく確実な止液効果を得ることができる。
【００２２】
請求項２に記載の発明の臨床検査用検体沈渣容器Ｓによれば、検体沈渣塗抹用蓋体２は、その液密筒部２ｃを容器本体１の外周面に密着させたときに該液密筒部２ｃの先端部に形成された係合鍔部２ｄが容器本体１に形成されてなる被係合突起１ｃに係合するようになっているため、両者の係合作用によって容器本体１に遠心分離による過大な負荷がかかる時でも液密筒部２ｃが容器本体１の外周面からめくられて離脱することがなく、より一層確実に止液効果を果たすことができる。
【００２３】
請求項３に記載の発明の臨床検査用検体沈渣容器Ｓによれば、前記検体Ｋは採取尿Ｋ１であって、尿細胞診用保存液Ｈ１に混合して容器本体１に収容されてなるため、長期にわたってその細胞汚染等の発生を防止することができる。
【００２４】
請求項４に記載の発明の臨床検査用検体沈渣容器Ｓによれば、尿細胞診用保存液Ｈ１が特定の組成を有するため、より一層長期間にわたって採取尿Ｋ１の細胞変性や細胞汚染の発生を長期間防止することができる。
【００２５】
請求項５に記載の発明の臨床検査用検体沈渣容器Ｓによれば、前記検体Ｋは、婦人科用剥離子４によって子宮頸部を擦過することによって該剥離子４に付着した子宮頸部擦過細胞Ｋ２であって、該細胞Ｋ２を容器本体１の検体沈渣塗抹用蓋体２の沈渣堆積皿部２ｂに容易に堆積して検査することができる。
【００２６】
請求項６に記載の発明の臨床検査用検体沈渣容器Ｓによれば、前記婦人科用剥離子４は、合成樹脂製基板４ａと該基板４ａに一体突設された軟質刷毛４ｂと該基板４ａに着脱可能に取り付けられる操作棒４ｃとからなる子宮頸部擦過用刷毛４Ａであるため、操作棒４ｃを操作することによって子宮頸部擦過用刷毛４Ａに子宮頸部擦過細胞Ｋ２を容易に採取することができる共に、該操作棒４ｃを操作することによって子宮頸部擦過細胞Ｋ２の付着した子宮頸部擦過用刷毛４Ａを容器本体１内に容易に挿入することができ、しかも容器本体１に挿入された子宮頸部擦過用刷毛４Ａから長尺な操作棒４ｃを離脱することができるため、容器本体１内に嵩張ることなく子宮頸部擦過用刷毛４Ａを収容して、円滑に遠心分離機にかけることができる。
【００２７】
請求項７に記載の発明の臨床検査用検体沈渣容器Ｓによれば、前記婦人科用剥離子４は、子宮頸部擦過用胞綿棒４Ｂからなるものであって、該綿棒４Ｂによって子宮頸部擦過細胞Ｋ２を容易に採取することができる。
【００２８】
請求項８に記載の発明の臨床検査用検体沈渣容器Ｓによれば、前記検体Ｋは子宮頸部擦過細胞Ｋ２であって、婦人科検体用保存液Ｈ２に混合して容器本体１に収容されてなるため、長期にわたってその細胞汚染等の発生を防止することができる。
【００２９】
請求項９に記載の発明の臨床検査用検体沈渣容器Ｓによれば、婦人科検体用保存液Ｈ２が特定の組成を有するため、より一層長期間にわたって婦人科検体用保存液Ｈ２の細胞変性や細胞汚染の発生を長期間防止することができる。
【００３０】
請求項１０に記載の発明の臨床検査用検体沈渣容器Ｓによれば、前記容器本体１に収容された婦人科用剥離子４が、該容器本体１に装着された前記検体沈渣塗抹用蓋体２に衝接するのを阻止するための網状受皿５が前記容器本体１内に係合載置されてなるため、容器本体１が遠心分離による負荷がかかって婦人科用剥離子４が容器本体１内で激しく動揺しても、該婦人科用剥離子４は網状受皿５に阻止されて、検体沈渣塗抹用蓋体２の沈渣堆積皿部２ｂに堆積されているけ検体沈渣Ｋａに触れにことはなく、安定して検体沈渣Ｋａを沈渣堆積皿部２ｂに堆積させることができる。
【００３１】
請求項１１に記載の発明の臨床検査用検体沈渣容器Ｓによれば、前記網状受皿５は、ボリエチレン等の合成樹脂によって簡単な構造によって一体形成されるため軽量であり、容器本体１の遠心分離作用に大きな負荷をかけることはない。
【図面の簡単な説明】
【００３２】
【図１】本発明の一実施形態に係る臨床検査用検体沈渣容器の外観正面図であって、その容器本体の一端部の容器口部に検体沈渣を沈渣させるための検体沈渣塗抹用蓋体を、容器本体の他端部の開口部にキャップを、夫々着脱可能に装着した状態を示す。
【図２】図１に示すＢ部の拡大断面図である。
【図３】（ａ）は、検体沈渣塗抹用蓋体を示す斜視図で、（ｂ）は、前記蓋体の液密筒部を外周面側に折り畳んだ状態を示す斜視図である。
【図４】検体沈渣塗抹用蓋体を容器本体の筒状口部に装着した状態を示す断面図であり、その要部を矢印方向に取り出して拡大断面図で示す。
【図５】容器本体の筒状口部に検体沈渣塗抹用蓋体を装着し、前記液密筒体を筒状口部の外周面側に沿うよう折り畳んだ状態を示す外観正面図である。
【図６】（ａ）は、婦人科検体用保存液を充填した容器本体に婦人科用剥離子である子宮頸部擦過用刷毛に子宮頸部擦過細胞を付着させた状態で収容すると共に、同容器本体内において、同刷毛が前記検体沈渣塗抹用蓋体に衝接するのを阻止するために該蓋体から離れた位置で前記刷毛を受け止めておくための網状受皿を容器本体に係合させている状態を示す縦断正面図であり、（ｂ）は、同婦人科用剥離子である子宮頸部擦過用綿棒を同じように収容した状態を示す縦断正面図である。
【図７】婦人科用剥離子である子宮頸部擦過用刷毛を示す斜視図である。
【図８】婦人科用剥離子である子宮頸部擦過用綿棒を示す斜視図である。
【図９】（ａ）は、前記網状受皿を示す斜視図であり、（ｂ）は、同縦断正面図である。
【図１０】（ａ）〜（ｄ）は、臨床検査用検体沈渣容器による検査手順を説明する説明図である。
【発明を実施するための形態】
【００３３】
図１は、本発明の実施の一形態である臨床検査用検体沈渣容器Ｓの外観を示し、図２は、その容器本体１の一端部を拡大して示すものであって、容器本体１の一端部は、先窄まり漏斗状部１ｄに形成されると共に、該漏斗状部１ｄの先端部からは反対に先広がりのテーパー筒状口部１ａに形成され、該筒状口部１ａに、図１の一点鎖線、特に図２の断面図に示すように検体沈渣塗抹用蓋体２がその栓体部２ａを筒状口部１ａに弾力的に圧接するようにして装着し、該栓体部２ａの一端部に形成されている沈渣堆積皿部２ｂも漏斗状に形成され、該皿部２ｂが容器本体１の前記先窄まり漏斗状部１ｄの内面延長上に沿うようになっており、これによって後述のように容器本体１内の検体沈渣Ｋａがその漏斗状部１ｄの内面から沈渣堆積皿部２ｂに円滑に流入し、該沈渣堆積皿部２ｂに正確に堆積されるようになっている。なお、沈渣堆積皿部２ｂには図示のようにその周方向に複数の小突起部２ｇを形成しているが、これは後述のように（図１０）、沈渣堆積皿部２ｂをスライドガラス６上を移動させて沈渣堆積皿部２ｂに付着している検体沈渣Ｋａをスライドガラス６に塗抹させる際に沈渣堆積皿部２ｂとスライドガラスとの間に吸引力が働かないようにして沈渣堆積皿部２ｂをスライドガラス６上の移動を容易にするためのものである。この際、複数の小突起部２ｇは、詳細には図２に示すように、その長手方向先端部２ｇ１が沈渣堆積皿部２ｂの周縁から突出状態に形成されることによって、上述の吸引力がより確実に働かないようにすることができる。
【００３４】
図２〜図４に示すように、栓体部２ａの他端部に栓体部２ａの摘まみ部を兼ねた段部２ｅと空所部２ｆとが形成され、栓体部２ａを筒状口部１ａにその段部２ｅが筒状口部１ａの先端面に当接するまで圧入することによって栓体部２ａの筒状口部１ａに対する圧入量を正確に規制することができ、又、栓体部２ａを筒状口部１ａに圧入する際に前記空所部２ｆが弾性変形することによって圧入作業を容易に行うことができる。
【００３５】
又、前記段部２ｅに弾性変位可能に液密筒部２ｃが筒状口部１ａから外部側に突出して一体形成されており、図３は、検体沈渣塗抹用蓋体２の斜視図を示すもので、（ａ）は液密筒部２ｃが栓体部２ａから突出状態に延びた状態を示し、この状態から矢印で示すように折り畳み可能となっており、（ｂ）は、液密筒部２ｃを弾性変位により折り畳たんだ状態を示す。
【００３６】
図４は、液密筒部２ｃが鎖線で示すように、筒状口部１ａから外部側に突出している状態から、矢印で示すように、該液密筒部２ｃを筒状口部１ａの外周面に沿うようめくって折り畳み、該液密筒部２ｃが筒状口部１ａの外周面に密着し、この際に、液密筒部２ｃの先端部に突設された係合鍔部２ｄが筒状口部１ａの外周面に突設された被係合突起１ｃに係合して、液密筒部２ｃが筒状口部１ａの外周面からはがれないように規制している。
【００３７】
このように、検体沈渣塗抹用蓋体２は、その栓体部２ａが筒状口部１ａの内周面に圧接されると共に、液密筒部２ｃが筒状口部１ａの外周面に密着することによって、筒状口部１ａを二重に塞ぐことになり、後述のように臨床検査用検体沈渣容器Ｓが遠心分離による過大な負荷がかかる時でも容器本体１内の液体が筒状口部１ａから液漏れが生じることがなく、確実な止液効果を得ることができる。図５は、容器本体１に検体沈渣塗抹用蓋体２の液密筒部２ｃを鎖線の突出状態から、矢印に示すように筒状口部１ａの外周面側に折り畳んだ状態の臨床検査用検体沈渣容器Ｓの外観を示す。
【００３８】
図６に示すように、容器本体１の他端部にねじ嵌合されるキャップ３は、その天板部３ａに環状溝部３ｂが形成されており、該キャップ９を容器本体１ａの開口部１ｂにねじ嵌合させたときに、その環状溝部３ｂの外側壁部３ｃが容器本体１の内周面に圧接してとキャップ９をねじ嵌合した際の容器本体１との液密性を維持する配慮がなされている。
【００３９】
図６（ａ），（ｂ）は、図１に示す臨床検査用検体沈渣容器Ｓの縦断正面図であり、容器本体１の内部に婦人科用剥離子４の一種である子宮頸部擦過用刷毛４Ａが投入された状態を示す。この子宮頸部擦過用刷毛４Ａは、図７に示すように、正面視略Ｖ字状で両端が半円形状に形成された合成樹脂製基板４ａと、該基板４ａの一面に多数一体突設された変位自在な軟質刷毛４ｂと、基板４ａの他面中央に一体突設された筒状の取付部４ｄに着脱可能に取り付けられる操作棒４ｃとからなり、図６は、後述のように、子宮頸部擦過用刷毛４Ａを容器本体１に投入する際に、操作棒４ｃを取付部４ｄから取り外した状態を示す。
【００４０】
図６（ａ），（ｂ）に示すように、前記容器本体１には婦人科用剥離子４が容器本体１に収容される前に網状受皿５が設置される。該網状受皿５は、図９（ａ），（ｂ）に示すように、ボリエチレン等の合成樹脂によって一体形成され、上下に貫通する多数の網孔５ａを有する網状部材５ｂと該網状部材５ｂの周囲を覆って前記容器本体１の内壁に係合載置される円筒状部材５ｃからなり、該網状受皿５は、その円筒状部材５ｃが容器本体１の先窄まり漏斗状部１ｄの内壁面に係合するように載置される。
【００４１】
該網状受皿５は、容器本体１に収容された婦人科用剥離子４が、該容器本体１に装着された前記検体沈渣塗抹用蓋体２に衝接するのを阻止するために設けられるものであって、容器本体１が遠心分離による負荷がかかって婦人科用剥離子４が容器本体１内で激しく動揺しても、該婦人科用剥離子４は網状受皿５に阻止されて、検体沈渣塗抹用蓋体２の沈渣堆積皿部２ｂに堆積されているけ検体沈渣Ｋａに触れにことはなく、安定して検体沈渣Ｋａを沈渣堆積皿部２ｂに堆積させる役割を担うものである。なお、該網状受皿５は、ボリエチレン等の合成樹脂によって簡単な構造によって一体形成されるため軽量であり、容器本体１の遠心分離作用に大きな負荷をかけることはない。
【００４２】
図８は、同じく容器本体１の内部に投入される婦人科用剥離子４の一種である子宮頸部擦過用胞綿棒４Ｂを示し、綿頭部４ａとこれに一体設けられた取付部４ｄとこれに着脱可能に取り付けられる操作棒４ｃとからなり、該容器本体１内にも同じく網状受皿５が係合載置されるようになっている。
【００４３】
図１０は、臨床検査用検体沈渣容器Ｓの使用方法（検査手順）の一例を説明する説明図であり、先ず（ａ）に示すように、容器本体１の筒状口部１ａに検体沈渣塗抹用蓋体２を装着し、且つ容器本体１の開口部１ｂから婦人科用剥離子４（図示では、その一種である子宮頸部擦過用刷毛４Ａを示す。）を、その操作棒４ｃを操作して容器本体１内に収容する。なお、婦人科用剥離子４は、網状受皿５に当接して検体沈渣塗抹用蓋体２側に移動することはない。
【００４４】
次に（ｂ）に示すように、（ａ）の液密筒部２ｃをその突出状態から筒状口部１ａの外周面に沿って折り畳んで密着させ、且つ婦人科用剥離子４に突設してある操作棒４ｃを引き抜き、その後に容器本体１内に婦人科検体用保存液Ｈ２を充填し、容器本体１の開口部１ｂにキャップ３をねじ嵌合する。なお、（ａ）の段階で、液密筒部２ｃをその突出状態から、筒状口部１ａの外周面に沿って折り畳んで密着させるようにしてもよいことは勿論である。この状態で臨床検査用検体沈渣容器Ｓを図示しない遠心分離機のターンテーブルにセットし、該ターンテーブルよって矢印で示すように臨床検査用検体沈渣容器Ｓをを高速回転させる。これによって、婦人科用剥離子４に付着している検体Ｋ（Ｋ２）は、その検体沈渣Ｋａが比重差によって検体沈渣塗抹用蓋体２の沈渣堆積皿部２ｂに堆積する。このように臨床検査用検体沈渣容器Ｓが遠心分離による過大な負荷がかかる時でも、容器本体１の一端部の検体沈渣塗抹用蓋体２は、その栓体部２ａが筒状口部１ａの内周面に圧接されると共に、液密筒部２ｃが筒状口部１ａの外周面に密着することによって筒状口部１ａを二重に塞ぐことになり、又、容器本体１の他端部にねじ嵌合されるキャップ３は、その天板部３ａの環状溝部３ｂの外側壁部３ｃが容器本体１の内周面に圧接して容器本体１との液密性を維持し、これがために容器本体１内の保存液が筒状口部１ａや開口部１ｂから液漏れが生じることがない。又、容器本体１内の婦人科用剥離子４は、遠心分離による過負荷がかかって容器本体１内で激しく動揺しても、網状受皿５に阻止されて、検体沈渣塗抹用蓋体２の沈渣堆積皿部２ｂに堆積されている検体沈渣Ｋａを破壊することなく、安定して検体沈渣Ｋａを沈渣堆積皿部２ｂに堆積させることができる。
【００４５】
その後図示しないが、容器本体１の開口部１ｂからキャップ３を外して保存液を排出させ、容器本体１の筒状口部１ａから検体沈渣塗抹用蓋体２を離脱させる。
そして、（ｃ）に示すように、検体沈渣塗抹用蓋体２を、その沈渣堆積皿部２ｂが下向きで該沈渣堆積皿部２ｂに堆積している検体沈渣Ｋａがスライドガラス６に対向するようにしてスライドカラス６に載置する。
【００４６】
その状態で、（ｄ）に示すように、該蓋体２の摘まみ部２ｅを摘んでその沈渣堆積皿部２ｂをスライドガラス６に所定の押圧力Ｐで押しつけ、適宜矢印で示すように左右に移動させることによって、沈渣堆積皿部２ｂに堆積されている検体沈渣Ｋａをスライドガラス６に塗抹させる。なお、沈渣堆積皿部２ｂの表面には小突起部２ｇを突設しているため、沈渣堆積皿部２ｂとスライドガラスとの間に吸引力が働かないようにして沈渣堆積皿部２ｂをスライドガラス６上を容易に移動させることができる。この際、（ｃ）に示すように、複数の小突起部２ｇは、詳細には図２にも示すように、その長手方向先端部２ｇ１が沈渣堆積皿部２ｂの周縁から突出状態に形成されることによって、上述の吸引力がより確実に働かないようにすることができる。
【００４７】
上記は、臨床検査用検体沈渣容器Ｓの婦人科用剥離子４を用いた使用方法（検査手順）の一例を説明するものであるが、図６（ａ），（ｂ）及び図１０（ｂ）に示すように、検体Ｋとして採取尿Ｋ１のみの検査を行う場合には、採取尿Ｋ１と尿細胞診用保存液Ｈ１とを臨床検査用検体沈渣容器Ｓに収納し、この状態で遠心分離機にかけて、上述の手順で、沈渣堆積皿部２ｂに検体沈渣Ｋａを堆積させるようにする。
【００４８】
そしてその後は、スライドガラス６に塗抹させた検体沈渣Ｋａを常法に従って乾燥し、１〜２回のアルコール固定を行い、染色を施して標本とし、顕微鏡による観察を行うことになる。
以下、本発明の既述の実施形態による実施例を説明する。
【００４９】
実施例１
尿細胞診用保存液
配合
１）１．３ブタンジオール                    ６．７ｇ
２）１．４ブタンジオール                    ３．３ｇ
３）ポリエチレングリコール＃１５４０        ５．０ｇ
４）ホルマリン                              １．０ｇ
５）９５％エタノール                      ４８．９ｇ
６）ポリビニールピドリドンＫ−３０          ０．５ｇ
７）酢酸                                    ０．５ｇ
８）蒸留水                                ３５．０ｇ
収量              １００．９ｇ
上記のように、尿細胞診用保存液が上記特定の組成を有することにより、一層長期間にわたって採取尿の細胞変性や細胞汚染の発生を長期間防止することができる。
【００５０】
実施例２
婦人科用液状検体保存液
１０）配合
１）９５％エタノール                                  ３９．０ｇ
２）ホルマリン                                          ０．５ｇ
３）ポリエチレングリコール＃１５４０（ＥＯ付加物値）  １２．５ｇ
４）ジチオスレイトウル                                １２．０ｇ
５）ブチルヒドロキシトルエン                          ２１．０ｇ
６）ポリビニルピドリドンＫ−９０                        ０．９６ｇ
７）蒸留水                                            ５５．１ｇ
収量                １４１．０６ｇ
上記のように、婦人科検体用保存液Ｈが特定の組成を有することにより、一層長期間にわたって婦人科検体用保存液Ｈの細胞変性や細胞汚染の発生を長期間防止することができる。
【符号の説明】
【００５１】
Ｋ        検体
Ｋａ      検体沈渣
１        容器本体
１ａ      筒状口部
２        検体沈渣塗抹用蓋体
１ｂ      開口部
３        キャップ
２ａ      栓体部
２ｂ      沈渣堆積皿部
２ｃ      液密筒部
Ｓ        臨床検査用検体沈渣容器
２ｄ      係合鍔部
１ｃ      被係合突起
Ｋ１      採取尿
Ｈ１      尿細胞診用保存液
Ｋ２      婦人科検体
Ｋ２      子宮頸部擦過細胞
４        婦人科用剥離子４
４Ａ      子宮頸部擦過用刷毛
４Ｂ      子宮頸部擦過用胞綿棒
４ａ      合成樹脂製基板
４ｂ      軟質刷毛
４ｃ      操作棒
４Ａ      綿棒
Ｈ２      婦人科検体用保存液
５        網状受皿５
５ａ      網孔
５ｂ      網状部材
５ｃ      円筒状部材
【図１】
2014098588.tif 000003
【図２】
2014098588.tif 000004
【図３】
2014098588.tif 000005
【図４】
2014098588.tif 000006
【図５】
2014098588.tif 000007
【図６】
2014098588.tif 000008
【図７】
2014098588.tif 000009
【図８】
2014098588.tif 000010
【図９】
2014098588.tif 000011
【図１０】
2014098588.tif 000012